(57)【要約】【課題】  異なる形状の領域を異なる波長帯の光を透過させる表示装置において、高精度な配置を必要とせず、高い表示品質が得られる表示装置を提供する。【解決手段】  表示装置１は、赤色ＬＥＤ３ａの光が第１領域４２ａを透過し、且つ青色ＬＥＤ３ｂの光が第２領域４４ａが透過する透過部４を備える。第１領域４２ａと第２領域４４ａは互いに共通の領域４０を有している。透過部４は、第１単独領域４２ｃと共通領域４０の各透過光が同等に見えるように赤色の光を補正赤透過率Ｒｃｒで透過させ、第２単独領域４４ｃと共通領域４０の各透過光が同等に見えるように青色の光を補正青透過率Ｒｃｂで透過させる補正部４３を備える。補正部４３は、第１領域４２ａ及び第２領域４４ａよりも大きく形成され、第１領域４２ａ及び第２領域４４ａを透過する光が入射される。【選択図】  図９
2013195786.tif 000002
【特許請求の範囲】
【請求項１】
第１波長帯の光が透過する第１領域と、前記第１波長帯とは異なる波長帯である第２波長帯の光が透過する第２領域とを有する透過部を備え、前記第１領域及び前記第２領域は、互いに共通の領域を有する表示装置であって、
前記第１波長帯の光に対する透過率が第１透過率に設定され、且つ前記第２波長帯の光に対する透過率が第２透過率に設定されている補正部を備え、
前記補正部は、前記第１領域及び前記第２領域よりも大きく形成され、前記第１領域及び前記第２領域を透過する光が当該補正部に入射されるように構成され、
前記第１透過率及び前記第２透過率は、前記第１波長帯の光が前記第１領域を透過するとき、当該第１領域のうち前記共通の領域と該共通の領域以外の領域の各透過光が同等に見えるように設定されると共に、前記第２波長帯の光が前記第２領域を透過するとき、当該第２領域のうち前記共通の領域と該共通の領域以外の領域の各透過光が同等になるように設定されることを特徴とする表示装置。
【請求項２】
請求項１に記載の表示装置において、前記第１透過率及び前記第２透過率は、前記第１波長帯の光及び前記第２波長帯の光に対する視感度に応じて設定されることを特徴とする表示装置。
【請求項３】
請求項１又は２に記載の表示装置において、
前記第１領域及び前記第２領域よりも大きく形成され、前記第１領域及び前記第２領域の各々を透過する光が入射される第１透過部及び第２透過部を備え、
前記第１透過部は、前記第１領域において、前記第１波長帯の光及び前記第２波長帯の光を透過させ、
前記第２透過部は、前記第２領域において、前記第１波長帯の光及び前記第２波長帯の光を透過させることを特徴とする表示装置。
【請求項４】
請求項３に記載の表示装置において、
前記第１透過部は、前記第１領域以外の領域において、前記第１波長帯の光を遮断する透過率に設定されると共に前記第２波長帯の光に対する透過率が第３透過率に設定され、
前記第２透過部は、前記第２領域以外の領域において、前記第２波長帯の光を遮断する透過率に設定されると共に前記第１波長帯の光に対する透過率が第４透過率に設定され、
前記第４透過率は、前記第１領域のうち前記共通の領域と該共通の領域以外の領域の各透過光が同等に見えるように設定され、
前記第３透過率は、前記第２領域のうち前記共通の領域と該共通の領域以外の領域の各透過光が同等に見えるように設定されることを特徴とする表示装置。
【請求項５】
請求項４に記載の表示装置において、前記第３透過率及び前記第４透過率は、前記第１波長帯の光及び前記第２波長帯の光に対する視感度に応じて設定されることを特徴とする表示装置。
【請求項６】
請求項１〜５のいずれか１項に記載の表示装置において、前記透過部には、所定の色の透光性インク及び白色の透光性インクが塗布されており、前記所定の色の透光性インクは、前記白色の透光性インクよりも前面側に塗布されていることを特徴とする表示装置。
【発明の詳細な説明】
【技術分野】
【０００１】
本発明は、光の波長帯に応じて異なる形状の領域が発光しているように見える表示装置に関する。
【背景技術】
【０００２】
従来、２つの波長帯の光（青の光と赤の光）に応じて、異なる形状の領域が発光しているように見える表示装置が知られている（特許文献１）。この表示装置は、青色ＬＥＤの光が透過するＮの形状を表わす領域（以下、当該形状を表わす領域を「Ｎ領域」という）と、赤色ＬＥＤの光が透過するＦの形状を表わす領域（以下、当該形状を表わす領域を「Ｆ領域」という）とを備える。
【０００３】
このとき、Ｎ領域及びＦ領域は、互いに共通の領域を有している。すなわち、Ｎ領域は、Ｆ領域と共通の領域（以下、「共通領域」という）と、Ｆ領域とは共通していない領域（以下、「Ｎ単独領域」という）とから構成される。同様に、Ｆ領域は、共通領域と、Ｎ領域とは共通していない領域（以下、「Ｆ単独領域」という）とから構成される。
【０００４】
この表示装置は、Ｎ領域及びＦ領域以外の領域では光を遮蔽し、Ｎ単独領域では青の光を所定の透過率で透過し、Ｆ単独領域では赤の光を所定の透過率で透過し、共通領域では青及び赤の光をそのエネルギーを減少させずに透過させる層構造を有している（ここで、本明細書において「エネルギーを減少させずに透過させる」とは、「光のエネルギーが減少することなく透過するか」又は「光を知覚する場合において影響の無い程度に、光のエネルギーが減少して透過する」ことを意味する。換言すると、100[%]又は100[%]に近い透過率となる。また、このように透過させることを「ほぼ全て透過させる」とも言う）。
【０００５】
このとき、Ｎ単独領域では青の光が所定の透過率で透過しているが、共通領域では青の光がほぼ全て透過している。すなわち、Ｎ単独領域と共通領域では、透過する光のエネルギーが異なっている。このため、Ｎ単独領域と共通領域の各透過光が同等に見えず、Ｎ単独領域の透過光より共通領域の透過光の方が明るく見える。同様に、Ｆ単独領域では青の光が所定の透過率で透過しているが、共通領域では青の光がほぼ全て透過している。このため、Ｆ単独領域と共通領域の各透過光が同等に見えず、Ｆ単独領域の透過光より共通領域の透過光の方が明るく見える。このように、領域によって、明るさが異なって見えるので、Ｎ領域の透過光及びＦ領域の透過光の各々が、違和感のある透過光に見えてしまう。
【０００６】
特許文献１の表示装置では、このような違和感を低減するため、共通領域に、共通領域とそれ以外の領域の透過光が同等に見えるようにするために、輝度調整層を配置している。これにより、青色ＬＥＤが点灯しているとき、当該光が、Ｎ単独領域と共通領域の透過光が同等に見えるようにＮ領域を透過し、赤色ＬＥＤが点灯しているとき、当該光が、Ｆ単独領域と共通領域の透過光が同等に見えるようにＦ領域を透過する。このように、Ｎ領域及びＦ領域の各々の透過光が同等に見えるようにして、表示装置１の表示品質を高くしている。
【先行技術文献】
【特許文献】
【０００７】
【特許文献１】特開２００８−２５７０５４号公報
【発明の概要】
【発明が解決しようとする課題】
【０００８】
しかしながら、特許文献１の表示装置では、輝度調整層が、共通領域以外の領域（Ｎ単独領域又はＦ単独領域）にはみ出した場合には、当該はみ出した領域の透過光の明るさが変化し（すなわち、透過率が変化し）、「Ｎ単独領域と共通領域の透過光」又は「Ｆ単独領域と共通領域の透過光」が同等に見えなくなる。このため、輝度調整層を共通領域に高精度に配置する必要がある。各部材を配置するとき、これらの相対的な位置関係を高精度する場合、大きな製造コストが生じてしまう。
【０００９】
本発明は、異なる形状の領域を異なる波長帯の光を透過させる表示装置において、高精度な配置を必要とせずに、高い表示品質を得られる表示装置を提供することを目的とする。
【課題を解決するための手段】
【００１０】
本発明は、第１波長帯の光が透過する第１領域と、前記第１波長帯とは異なる波長帯である第２波長帯の光が透過する第２領域とを有する透過部を備え、前記第１領域及び前記第２領域は、互いに共通の領域を有する表示装置であって、前記第１波長帯の光に対する透過率が第１透過率に設定され、且つ前記第２波長帯の光に対する透過率が第２透過率に設定されている補正部を備え、前記補正部は、前記第１領域及び前記第２領域よりも大きく形成され、前記第１領域及び前記第２領域を透過する光が当該補正部に入射されるように構成され、前記第１透過率及び前記第２透過率は、前記第１波長帯の光が前記第１領域を透過するとき、当該第１領域のうち前記共通の領域と該共通の領域以外の領域の各透過光が同等に見えるように設定されると共に、前記第２波長帯の光が前記第２領域を透過するとき、当該第２領域のうち前記共通の領域と該共通の領域以外の領域の各透過光が同等になるように設定されることを特徴とする。ここで、本発明において、「波長帯の光」とは「波長Ａから波長Ｂまでの光」を意味する。また、「透過率」とは、「透過前の光のエネルギーに対する透過後の光のエネルギーの割合」であり、その値が高い程、多くの光が透過していることを示す。
【００１１】
本発明によれば、補正部は、第１波長帯の光に対して第１透過率に設定され、且つ第２波長帯の光に対して第２透過率に設定されている。第１波長帯の光は、第１領域を透過するとき補正部に入射する。従って、当該透過時において、第１領域のうち第２領域と共通の領域（以下、「共通領域」という）と該共通の領域以外の領域（以下、「第１単独領域」という）との透過光が同等に見える。第２波長帯の光は、第２領域を透過するとき補正部に入射する。従って、当該透過時において、第２領域のうち共通領域と該共通の領域以外の領域（以下、「第２単独領域」という）との透過光が同等に見える。
【００１２】
また、このような補正部は、第１領域及び第２領域よりも大きく形成されている。従って、第１領域と第２領域とに対して共通領域のみに補正部を配置する必要がない。以上のように、異なる形状の領域を異なる波長帯の光を透過させる表示装置において、高精度な配置を必要とせずに、高い表示品質が得られる。
【００１３】
本発明において、前記第１透過率及び前記第２透過率は、前記第１波長帯の光及び前記第２波長帯の光に対する視感度に応じて設定されることが好ましい。これにより、光のエネルギーが同じである場合、視感度の高い波長帯の光は、視感度の低い波長帯の光に比べて明るく感じる。従って、透過率が低く設定されていても暗く感じにくい。
【００１４】
このため、視感度の高い波長帯の光に対しては、透過率を広い範囲に設定することができる。このように、第１透過率及び第２透過率を設定する際に、各波長帯の光に対する視感度に応じて設定することで、第１透過率及び第２透過率の設定の自由度を向上できる。
【００１５】
本発明において、前記第１領域及び前記第２領域よりも大きく形成され、前記第１領域及び前記第２領域の各々を透過する光が入射される第１透過部及び第２透過部を備え、前記第１透過部は、前記第１領域において、前記第１波長帯の光及び前記第２波長帯の光を透過させ、前記第２透過部は、前記第２領域において、前記第１波長帯の光及び前記第２波長帯の光を透過させることが好ましい。
【００１６】
これにより、第１波長帯の光及び第２波長帯の光は、第１透過部を透過する。また、第１波長帯の光及び第２波長帯の光は、第２透過部を透過する。このため、第１波長帯の光は、第１透過部によって第１領域を透過し、第２透過部によって共通領域を透過する。すなわち、第１波長帯の光は、第１透過部及び第２透過部によって共通領域において遮断されることがない。
【００１７】
また、第２波長帯の光は、第１透過部によって共通領域を透過し、第２透過部によって第２領域を透過する。すなわち、第２波長帯の光は、第１透過部及び第２透過部によって共通領域において遮断されることがない。
【００１８】
このように、第１透過部及び第２透過部は、第１領域及び第２領域を表示する光のエネルギーを必要以上に減少させることがない。このため、第１波長帯の光及び第２波長帯の光を発光する光源等のエネルギーを低く抑えることができる。
【００１９】
本発明において、前記第１透過部は、前記第１領域以外の領域において、前記第１波長帯の光を遮断する透過率に設定されると共に前記第２波長帯の光に対する透過率が第３透過率に設定され、前記第２透過部は、前記第２領域以外の領域において、前記第２波長帯の光を遮断する透過率に設定されると共に前記第１波長帯の光に対する透過率が第４透過率に設定され、前記第４透過率は、前記第１領域のうち前記共通の領域と該共通の領域以外の領域の各透過光が同等に見えるように設定され、前記第３透過率は、前記第２領域のうち前記共通の領域と該共通の領域以外の領域の各透過光が同等に見えるように設定されることが好ましい。
【００２０】
これにより、第１領域のうち第１単独領域においては、第２透過部によって第１波長帯の光が第４透過率で透過する。また、第２領域のうち第２単独領域においては、第１透過部によって第２波長帯の光が第３透過率で透過する。
【００２１】
更に、第１領域以外の領域（以下、「非第１領域」という）においては、第１透過部によって第１波長帯の光が遮断され、第２領域以外の領域（以下、「非第２領域」という）においては、第２透過部によって第２波長帯の光が遮断される。すなわち、非第１領域と非第２領域に共通する領域（換言すると、第１領域及び第２領域のいずれの領域でもない領域。以下、この領域を「非透過領域」という）においては、第１透過部及び第２透過部によって、第１波長帯の光及び第２波長帯の光が遮断される。
【００２２】
特許文献１に示される表示装置では、「第１単独領域」では第１波長帯の光を所定の透過率で透過させ、「第２単独領域」では第２波長帯の光を所定の透過率で透過させ、「共通領域」では２つの波長帯の光をほぼ全て透過させ、「非透過領域」では２つの波長帯の光を遮断させるように、これらの４つの領域に対して、透過率の設定の異なる複数の部材を、当該部材の相対的な位置関係に対して高精度に配置する必要がある。
【００２３】
これに対し、本発明の表示装置では、第１透過部及び第２透過部を第１領域及び第２領域よりも大きく構成し、第１透過部を、「第１領域」では２つの波長帯の光をほぼ全て透過し、「非第１領域」では第２波長帯の光を第３透過率で透過するように構成し、第２透過部を、「第２領域」では２つの波長帯の光をほぼ全て透過し、「非第２領域」では第１波長帯の光を第４透過率で透過するように構成している。
【００２４】
このように、第１透過部においては、第１領域か非第１領域の２つに関してのみ透過率の設定が異なるように構成し、第２透過部においては、第２領域か非第２領域の２つに関してのみ透過率の設定が異なるように構成する。そして、共通領域及び非透過領域を意識することなく、第１透過部と第２透過部とを配置すればよい。このように、共通領域及び非透過領域を意識せずに製造できる。以上のように、高精度な配置を必要とせずに、非常に簡単に製造でき、ひいては製造コストを低減することができると共に、生産性を向上できる。
【００２５】
また、特許文献１に記載の表示装置においては、透過率が設定される各部材は、その製造時に形状が決定される。すなわち、各部材を組み合わせるときに配置にずれが生じると、第１領域及び第２領域の形状が歪んでしまい、商品性が低下する。更に、第１領域の形状を同じままで、第２領域の形状を他の形状に変更する場合、第２単独領域及び非透過領域の形状が変更されるだけではなく、共通領域の形状も変わるので、第１単独領域の形状も変更する必要がある。
【００２６】
一方、本発明の表示装置においては、製造時に、第１透過部と第２透過部との相対的な位置関係にずれが生じた場合であっても、第１透過部及び第２透過部は、各々が対応している領域の形状（すなわち、第１透過部では第１領域の形状、第２透過部では第２領域の形状）についてのみを考慮して透過率が異なるように構成されている。
【００２７】
すなわち、第１透過部と第２透過部との相対的な位置関係が変わることで、第１単独領域、第２単独領域、共通領域、及び非透過領域の形状が変わった場合であっても、第１領域、第２領域自体の形状は変わらない。従って、第１透過部と第２透過部との相対的な位置関係に対する厳密な配置が不要である。また、第１領域の形状を同じままで、第２領域の形状を他の形状に変更する場合、第１透過部を変更せずに第２透過部のみを変更すればよい。このように、第１透過部及び第２透過部の形状が同一のものに対して流用でき、製造コストを低減できると共に、生産性を向上できる。
【００２８】
本発明において、前記第３透過率及び前記第４透過率は、前記第１波長帯の光及び前記第２波長帯の光に対する視感度に応じて設定されることが好ましい。これにより、上述したような第１透過率及び第２透過率を視感度に応じて設定するときと同様の理由によって、第３透過率及び第４透過率の設定の自由度を向上できる。
【００２９】
本発明において、前記透過部には、所定の色の透光性インク及び白色の透光性インクが塗布されており、前記所定の色の透光性インクは、前記白色の透光性インクよりも前面側に塗布されていることが好ましい。これにより、白色の透光性インクが外光を乱反射させて、第１領域及び第２領域を見えにくくできる。更に、第１の波長帯の光が第１領域を透過するときの、当該第１領域のうち「前記共通の領域」と「該共通の領域以外の領域」との境界をぼかすことができる。同様に、第２の波長帯の光が第２領域を透過するときの、当該第２領域のうち「前記共通の領域」と「該共通の領域以外の領域」との境界をぼかすことができる。このようにして、更に高い表示品質が得られる。また、このような白色の透光性インクよりも前面側に、所定の色の透光性インクを塗布することで、背景色を所定の色に設定できる。これにより、表示装置のデザイン性を向上できる。
【図面の簡単な説明】
【００３０】
【図１】本発明の実施形態の表示装置の構成を示す図。
【図２】図１の表示装置の透過部の構成を示す図。
【図３】透過部の第１透過部の構成を示す図。
【図４】第１透過部の各波長に対する透過率を示す図。
【図５】透過部の補正部の構成を示す図。
【図６】補正部の各波長に対する透過率を示す図。
【図７】透過部の第２透過部の構成を示す図。
【図８】第２透過部の各波長に対する透過率を示す図。
【図９】（ａ）は透過部４の前面を示す図、（ｂ）は赤色ＬＥＤが点灯しているときの透過部４を透過した光を示す図、（ｃ）は青色ＬＥＤが点灯しているときの透過部４を透過した光を示す図。
【発明を実施するための形態】
【００３１】
本発明の本実施形態の表示装置について説明する。図１及び図２に示されるように、本実施形態の表示装置１は、筐体２と、光源３と、透過部４とを備える。
【００３２】
筐体２は、前面（図１の左側の面）が開口した中空の直方体形状に形成されており、当該中空部に光源３が収容されている。また、筐体２を構成する部材は、光を遮断する材料（例えば、金属等）で構成されている。これにより、筐体２は、当該筐体２の外部と内部とで光が透過できるのは前面のみとなる。
【００３３】
光源３は、赤色に発光する発光ダイオード（以下、「赤色ＬＥＤ」という）３ａと、青色に発光する発光ダイオード（以下、「青色ＬＥＤ」という）３ｂとを備える。光源３は、赤色ＬＥＤ３ａと青色ＬＥＤ３ｂとが排他的に点灯するように（２つが同時に点灯することがないように）構成されている。すなわち、光源３には、赤色ＬＥＤ３ａが点灯する赤色点灯状態と、青色ＬＥＤ３ｂが点灯する青色点灯状態と、赤色ＬＥＤ３ａ及び青色ＬＥＤ３ｂが消灯する消灯状態との３つの状態がある。
【００３４】
なお、本実施形態において、赤色ＬＥＤ３ａの発光色の波長は約626[nm]を想定し、青色ＬＥＤ３ｂの発光色の波長は約470[nm]を想定している。しかしながら、各発光色の波長はこれに限らない。更に、「青（又は赤）」と言ってもその色相は様々であるので、本実施形態において「青（又は赤）」とは、厳密な定義の青（又は赤）ではなく、一般に青（又は赤）と認められる程度に異なる青系（又は赤系）の色も含む。
【００３５】
ここで、赤色の光が、本発明における「第１波長帯の光」に相当する。また、青色の光が、本発明における「第２波長帯の光」に相当する。
【００３６】
透過部４は、筐体２の前面（図１の左側の面）に設けられている。透過部４は、図２に示されるように、透光板４１と、第１透過部４２と、補正部４３と、第２透過部４４とを備える。なお、図２では、見易さのために、各部材を離して図示しているが、実際には、第１透過部４２、補正部４３及び第２透過部４４は、後述するように、透光板４１の表面に、「第１透過部４２→補正部４３→第２透過部４４」の順番で塗布されたインクである。このため、図２に示されるように各部材が互いに空間を設けて配置されてはいない。
【００３７】
透光板４１は、光をほぼ全て透過させる透過率（100[%]又は100[%]に近い透過率）に設定された無色透明の部材（例えば、合成樹脂等）で、長方形の板状に形成されている。透光板４１は、その大きさが、筐体２の前面の大きさに合わせて形成されている。
【００３８】
また、透光板４１は、表示装置１の商品性を考慮して、光源３が消灯状態であるとき、表示装置１の前面が所定の色となるような透光性のインクが塗布されている。このとき、透光板４１は、その後面側の表面に、所定の色（例えば、グレー等）の透光性インクが塗布され、該所定の色の透光性インクの上に、白色の透光性インクが塗布される。これにより、透過部４の背景色を所定の色に設定することができる。なお、透光板４１の前面側の表面に、白色の透光性インクを塗布し、該白色の透光性インクの上に所定の色（例えば、グレー等）の透光性インクを塗布するように構成してもよい。
【００３９】
ここで、上記のように透光板４１にインクが塗布されることが、本発明における「前記透過部には、所定の色の透光性インク及び白色の透光性インクが塗布されており、前記所定の色の透光性インクは、前記白色の透光性インクよりも前面側に塗布されている」ことに相当する。
【００４０】
第１透過部４２は、透光板４１の後面（図２の右側の面）上に塗布された青色の透光性インク及び当該インクが塗布されていない領域からなる。第１透過部４２は、その表面の領域が、図３に示されるように、「矢印」を表わす領域（以下、「第１領域」という）４２ａと該第１領域４２ａ以外の領域（以下、「非第１領域」という）４２ｂとからなる。第１透過部４２は、透光板４１上に塗布されているので、その大きさが透光板４１の面と同じ大きさになる。
【００４１】
第１透過部４２の非第１領域４２ｂは、図４に示される光の透過特性を有する青色のインクである。図４は、横軸が波長（単位は、[nm]）を示し、縦軸が透過率（単位は[%]）を示す。詳細には、青色のインクは、波長が470[nm]の光（青色の光）に対する透過率（以下、「青透過率」という）Ｒｂが70[%]に設定されており、波長が626[nm]の光（赤色の光）を遮断する透過率（0[%]に近い透過率）に設定されている。
【００４２】
従って、第１透過部４２の非第１領域４２ｂは、青色ＬＥＤ３ｂの光を青透過率Ｒｂで透過すると共に、赤色ＬＥＤ３ａの光を遮断する。また、第１透過部４２の第１領域４２ａは、青色のインクが塗布されていない領域である。従って、第１透過部４２の第１領域４２ａは、光を全て透過させる。
【００４３】
ここで、青透過率Ｒｂが、本発明における「第３透過率」に相当する。また、第１透過部４２が上記のように構成されていることが、本発明における「前記第１透過部は、前記第１領域において、前記第１波長帯の光及び前記第２波長帯の光を透過させる」ことに相当すると共に、本発明における「前記第１透過部は、前記第１領域以外の領域において、前記第１波長帯の光を遮断する透過率に設定されると共に前記第２波長帯の光に対する透過率が第３透過率に設定される」ことに相当する。
【００４４】
補正部４３は、第１透過部４２の後面（図２の右側の面）に塗布された所定の透光性インクである。すなわち、補正部４３は、透光板４１の後面上に青色の透光性インクが塗布された状態において、透光板４１の後面上に所定の透光性インクが塗布されることで形成される。従って、補正部４３は、透光板４１及び第１透過部４２の面と同じ大きさになる。
【００４５】
図５に示されるように、補正部４３は、透光板４１の全面に塗布された、図６に示される光の透過特性を有するインク（以下、「補正インク」という。これは例えば、赤紫色のインク。）である。図６は、横軸が波長（単位は、[nm]）を示し、縦軸が透過率（単位は[%]）を示す。詳細には、補正インクは、波長が626[nm]の光（赤色の光）に対する透過率（以下、「補正赤透過率」という）Ｒｃｒが28[%]に設定されており、波長が470[nm]の光（青色の光）に対する透過率（以下、「補正青透過率」という）Ｒｃｂが78[%]に設定されている。
【００４６】
従って、補正部４３は、赤色ＬＥＤ３ａの光を補正赤透過率Ｒｃｒで透過すると共に、青色ＬＥＤ３ｂの光を補正青透過率Ｒｃｂで透過する。
【００４７】
ここで、補正赤透過率Ｒｃｒが本発明における「第１透過率」に相当し、補正青透過率Ｒｃｂが本発明における「第２透過率」に相当する。また、補正部４３が、本発明における「前記第１波長帯の光に対する透過率が第１透過率に設定され、且つ前記第２波長帯の光に対する透過率が第２透過率に透過されている補正部」に相当する。
【００４８】
第２透過部４４は、補正部４３の後面（図２の右側の面）に塗布された赤色の透光性インク及び当該インクが塗布されていない領域からなる。すなわち、第２透過部４４は、透光板４１の後面上に青色の透光性インク及び補正インクが塗布された状態において、透光板４１の後面上に赤色の透光性インクが塗布されることで形成される。従って、第２透過部４４は、透光板４１、第１透過部４２及び補正部４３の面と同じ大きさになる。
【００４９】
第２透過部４４は、その表面の領域が、図７に示されるように、「丸」を表わす領域（以下、「第２領域」という）４４ａと該第２領域４４ａ以外の領域（以下、「非第２領域」という）４４ｂとからなる。
【００５０】
第２透過部４４の非第２領域４４ｂは、図８に示される光の透過特性を有する赤色のインクである。図８は、横軸が波長（単位は、[nm]）を示し、縦軸が透過率（単位は[%]）を示す。詳細には、赤色のインクは、波長が470[nm]の光（青色の光）を遮断する透過率（0[%]に近い透過率）に設定されており、波長が626[nm]の光（赤色の光）に対する透過率（以下、「赤透過率」という）Ｒｒが83[%]に設定されている。
【００５１】
従って、第２透過部４４の非第２領域４４ｂは、赤色ＬＥＤ３ａの光を赤透過率Ｒｒで透過すると共に、青色ＬＥＤ３ｂの光を遮断する。また、第２透過部４４の第２領域４４ａは、赤色のインクが塗布されていない領域である。従って、第２透過部４４の第２領域４４ａは、光を全て透過させる。
【００５２】
ここで、赤透過率Ｒｒが、本発明における「第４透過率」に相当する。また、第２透過部４４が上記のように構成されていることが、本発明における「前記第２透過部は、前記第２領域において、前記第１波長帯の光及び前記第２波長帯の光を透過させる」ことに相当すると共に、本発明における「前記第２透過部は、前記第２領域以外の領域において、前記第２波長帯の光を遮断する透過率に設定されると共に前記第１波長帯の光に対する透過率が第４透過率に設定される」ことに相当する。
【００５３】
以上のように構成された透過部４は第２透過部４４側を筐体２に接着する。すなわち、光源３からの光は、最初に第２透過部４４に入射し、透光板４１から出射される。詳細には、「第２透過部４４」→「補正部４３」→「第１透過部４２」→「透光板４１」の順に光源３の光が透過する。
【００５４】
図９は、透過部４の前面（図１及び図２の左側の面）を示す図である。図９（ａ）に示されるように、第１領域４２ａ及び第２領域４４ａは、互いに共通の領域（以下、「共通領域」という）４０を有している。すなわち、第１領域４２ａは、「共通領域４０」と「該共通領域４０以外の領域（以下、「第１単独領域」という）４２ｃ」とからなる。同様に、第２領域４４ａは、「共通領域４０」と「該共通領域４０以外の領域（以下、「第２単独領域」という）４４ｃ」とからなる。
【００５５】
以上より、透過部４を前面から見たとき、その領域は、「第１単独領域４２ｃ」、「第２単独領域４４ｃ」、「共通領域４０」、及び「非第１領域４２ｂ及び非第２領域４４ｂに共通した領域（以下、「非透過領域」という）４５」の４つの領域からなる。
【００５６】
第１単独領域４２ｃは、第２透過部４４によって、赤色ＬＥＤ３ａの光が赤透過率Ｒｒで透過し、青色ＬＥＤ３ｂの光が遮断される。また、補正部４３によって、赤色ＬＥＤ３ａの光が補正赤透過率Ｒｃｒで透過し、青色ＬＥＤ３ｂの光が補正青透過率Ｒｃｂで透過する。また、第１透過部４２では、当該領域に青色インクが塗布されていないので、赤色ＬＥＤ３ａ及び青色ＬＥＤ３ｂの光が全て透過する（100[%]の透過率）。
【００５７】
以上より、透過部４の第１単独領域４２ｃは、赤色ＬＥＤ３ａの光は、第２透過部４４及び補正部４３によって「Ｒｒ・Ｒｃｒ」の透過率で透過し、青色ＬＥＤ３ｂの光は、第２透過部４４によって遮断される。ここで、赤透過率Ｒｒは83[%]であり、補正赤透過率Ｒｃｒは28[%]であるので、透過率Ｒｒ・Ｒｃｒは約23[%]となる。従って、第１単独領域４２ｃは、赤色点灯状態において透過率Ｒｒ・Ｒｃｒ（約23[%]）で透過した赤色の光が発光して見え、青色点灯状態において発光していないように見える。
【００５８】
なお、本明細書において、白色の透光性インク及び所定の色の透光性インクが塗布された透光板４１に関しては、その透過率が一定であるので考慮しないものとする。
【００５９】
第２単独領域４４ｃは、第２透過部４４では、当該領域に赤色インクが塗布されていないので、赤色ＬＥＤ３ａ及び青色ＬＥＤ３ｂの光が全て透過する（100[%]の透過率）。また、補正部４３によって、赤色ＬＥＤ３ａの光が補正赤透過率Ｒｃｒで透過し、青色ＬＥＤ３ｂの光が補正青透過率Ｒｃｂで透過する。また、第１透過部４２では、赤色ＬＥＤ３ａの光が遮断され、青色ＬＥＤ３ｂの光が青透過率Ｒｂで透過する。
【００６０】
以上より、透過部４の第２単独領域４４ｃは、赤色ＬＥＤ３ａの光は、第１透過部４２によって遮断され、青色ＬＥＤ３ｂの光は、補正部４３及び第１透過部４２によって「Ｒｃｂ・Ｒｂ」の透過率で透過する。ここで、青透過率Ｒｂは70[%]であり、補正青透過率Ｒｃｂは78[%]であるので、透過率Ｒｃｂ・Ｒｂは約55[%]となる。従って、第２単独領域４４ｃは、赤色点灯状態において発光していないように見え、青色点灯状態において透過率Ｒｃｂ・Ｒｂ（約55[%]）で透過された青色の光が発光して見える。
【００６１】
共通領域４０は、第２透過部４４では、当該領域に赤色インクが塗布されていないので、赤色ＬＥＤ３ａ及び青色ＬＥＤ３ｂの光が全て透過する（100[%]の透過率）。また、補正部４３によって、赤色ＬＥＤ３ａの光が補正赤透過率Ｒｃｒで透過し、青色ＬＥＤ３ｂの光が補正青透過率Ｒｃｂで透過する。また、第１透過部４２では、当該領域に赤色インクが塗布されていないので、赤色ＬＥＤ３ａ及び青色ＬＥＤ３ｂの光が全て透過する（100[%]の透過率）。
【００６２】
以上より、透過部４の共通領域４０は、赤色ＬＥＤ３ａの光は、補正部４３によっての補正赤透過率Ｒｃｒ（28[%]）で透過し、青色ＬＥＤ３ｂの光は、補正部４３によっての補正青透過率Ｒｃｂ（78[%]）で透過する。従って、共通領域４０は、赤色点灯状態において補正赤透過率Ｒｃｒ（28[%]）で透過された赤色の光が発光して見え、青色点灯状態において補正青透過率Ｒｃｂ（78[%]）で透過された青色の光が発光して見える。
【００６３】
非透過領域４５は、第２透過部４４によって、青色ＬＥＤ３ｂの光が遮断される。また、第１透過部４２によって、赤色ＬＥＤ３ａの光が遮断される。従って、透過部４の非透過領域４５は、赤色ＬＥＤ３ａ及び青色ＬＥＤ３ｂのいずれが点灯した場合であっても、これらの光を遮断する。従って、非透過領域４５は赤色点灯状態及び青色点灯状態のいずれの状態であっても発光して見えない。
【００６４】
以上のように、透過部４は、赤色点灯状態において、第１領域４２ａが「矢印」の形状を表わすように赤色の光が発光して見え、非第１領域４２ｂは発光して見えない。詳細には、第１単独領域４２ｃが透過率Ｒｒ・Ｒｃｒ（約23[%]）で透過された赤色の光が発光して見え、共通領域４０が補正赤透過率Ｒｃｒ（28[%]）で透過された赤色の光が発光して見える。このように、赤色点灯状態において、第１単独領域４２ｃと共通領域４０との透過率の差が約5[%]となっている。
【００６５】
仮に、補正部４３を設けなかった場合には、第１単独領域４２ｃが赤透過率Ｒｒ（83[%]）で透過された赤色の光が発光して見え、共通領域４０がほぼ全て透過（透過率が100[%]）された赤色の光が発光して見える。このため、補正部４３を設けなかった場合には、第１単独領域４２ｃと共通領域４０との透過率の差が17[%]となる。このように、補正部４３の赤色の光に対する透過率を調整することで、第１単独領域４２ｃと共通領域４０との透過率の差が小さくなり、赤色点灯状態において、第１単独領域４２ｃと共通領域４０とが赤色の光が発光して見えたとき、各領域４２ｃ，４０間の発光の差を感じづらくなる（すなわち、発光が同等に見える）。すなわち、赤色点灯状態において第１領域４２ａが赤色の光が発光して見えるときに、高い表示品質を得ることができる。
【００６６】
このように、「第１単独領域４２ｃと共通領域４０との発光の差を感じづらくなるように、補正部４３の補正赤透過率Ｒｃｒ及び第１透過部４２の赤透過率Ｒｒが設定される」ことが、本発明における「前記第１波長帯の光が前記第１領域を透過するとき、当該第１領域のうち前記共通の領域と該共通の領域以外の領域の各透過光が同等に見えるように設定される」ことに相当すると共に、本発明における「前記第４透過率は、前記第１領域のうち前記共通の領域と該共通の領域以外の領域の各透過光が同等に見えるように設定される」ことに相当する。
【００６７】
また、青色点灯状態において、第２領域４４ａが「丸」の形状を表すように青色に発光して見え、非第２領域４４ｂは発光して見えない。詳細には、第２単独領域４４ｃが透過率Ｒｃｂ・Ｒｂ（約55[%]）で透過された青色に発光して見え、共通領域４０が補正青透過率Ｒｃｂ（78[%]）で透過された青色に発光して見える。このように、青色点灯状態において、第２単独領域４４ｃと共通領域４０との透過率の差が約23[%]となっている。
【００６８】
仮に、補正部４３を設けなかった場合には、第２単独領域４４ｃが青透過率Ｒｂ（70[%]）で透過された青色に発光して見え、共通領域４０がほぼ全て透過（透過率が100[%]）された青色に発光して見える。このため、補正部４３を設けなかった場合には、第２単独領域４４ｃと共通領域４０との透過率の差が30[%]となる。このように、補正部４３の青色の光に対する透過率を調整することで、第２単独領域４４ｃと共通領域４０との透過率の差が小さくなり、青色点灯状態において、第２単独領域４４ｃと共通領域４０とが青色に発光して見えたとき、各領域４４ｃ，４０間の発光の差を感じづらくなる（すなわち、発光が同等に見える）。すなわち、青色点灯状態において第２領域４４ａが青色に発光して見えるときに、高い表示品質を得ることができる。
【００６９】
このように、「第２単独領域４４ｃと共通領域４０との発光の差を感じづらくなるように、補正部４３の補正青透過率Ｒｃｂ及び第２透過部４４の青透過率Ｒｂが設定される」ことが、本発明における「前記第２波長帯の光が前記第２領域を透過するとき、当該第２領域のうち前記共通の領域と該共通の領域以外の領域の各透過光が同等になるように設定される」ことに相当すると共に、本発明における「前記第３透過率は、前記第２領域のうち前記共通の領域と該共通の領域以外の領域の各透過光が同等に見えるように設定される」ことに相当する。
【００７０】
また、補正部４３が設けられない場合には、赤色点灯状態における第１領域４２ａの透過率は83〜100[%]であるが、補正部４３が設けられた場合には、赤色点灯状態における第１領域４２ａの透過率が23〜28[%]である。また、補正部４３が設けられない場合には、青色点灯状態における第２領域４４ａの透過率は70〜100[%]であるが、補正部４３が設けられた場合には、青色点灯状態における第２領域４４ａの透過率が55〜78[%]である。
【００７１】
このように、青色点灯状態に比べて、赤色点灯状態の方が透過率が低くなっている。これは、人は、赤色の光の方が青色の光に比べて明るさを感じやすい。すなわち、人の視感度は、赤色の光の方が青色の光に比べて大きい。このため、赤色点灯状態における透過率が青色点灯状態における透過率に比べて低い場合であっても、すなわち、第１領域４２ａが発光して見えるときの明るさが、第２領域４４ａが発光して見えるときの明るさに比べて、暗く感じにくい。
【００７２】
また、人が違和感を感じづらい色相の許容差は、赤色の光と青色の光とでは赤色の方が青色よりも大きいことが知られている。従って、補正インクを赤よりも青よりの色にすることで、すなわち、青色の光に対する透過率を赤色の光に対する透過率に比べて大きくすることで（すなわち、Ｒｃｂ＞Ｒｃｒ）、青色点灯状態における色相の差が赤色点灯状態における色相の差よりも小さくなり、補正部４３を透過する光に対する影響を小さくすることができる。
【００７３】
このような、人の視感度を考慮して、補正部４３に塗布される補正インクの透過率が調整されている。このことが、本発明における「前記第１透過率及び前記第２透過率は、前記第１波長帯の光及び前記第２波長帯の光に対する視感度に応じて設定される」ことに相当する。同様に、補正部４３に塗布される補正インクだけではなく、第１透過部４２に塗布される青色インク、及び第２透過部４４に塗布される赤色インクの透過率が調整されている。このことが、本発明における「前記第３透過率及び前記第４透過率は、前記第１波長帯の光及び前記第２波長帯の光に対する視感度に応じて設定される」ことに相当する。
【００７４】
また、本実施形態において、補正部４３が、第１透過部４２及び第２透過部４４と同じ大きさに形成されている。すなわち、補正部４３が、第１透過部４２内にある第１領域４２ａ、及び第２透過部４４内にある第２領域４４ａより大きく形成されている。従って、第１領域４２ａと第２領域４４ａとに共通する領域のみに補正部を配置する必要がない。補正部をこのように配置する必要があるものに比べて、本実施形態の表示装置１は、高精度に配置する必要がない。以上のように、本実施形態の表示装置１は、高精度な配置を必要とせずに、第１単独領域４２ｃと共通領域４０の発光を同等に見えるようにできると共に、第２単独領域４４ｃと共通領域４０の発光を同等に見えるようにできる（すなわち、高い表示品質を得ることができる）。
【００７５】
また、本実施形態においては、第１透過部４２は、第１領域４２ａよりも大きく構成されており、非第１領域４２ｂに青色インクが塗布され、第１領域４２ａには青色インクが塗布されていない。これにより、第１領域４２ａにおいて、赤色の光及び青色の光の各々がほぼ全て透過すると共に、非第１領域４２ｂにおいて、赤色の光が遮断され且つ青色の光が透過率Ｒｃｂ・Ｒｂで透過する。
【００７６】
また、第２透過部４４は、第２領域４４ａよりも大きく構成されており、非第２領域４４ｂに赤色インクが塗布され、第２領域４４ａには赤色インクが塗布されていない。これにより、第２領域４４ａにおいて、赤色の光及び青色の光の各々がほぼ全て透過すると共に、非第２領域４４ｂにおいて、赤色の光が透過率Ｒｒ・Ｒｃｒで透過し且つ青色の光が遮断される。
【００７７】
これにより、非第１領域４２ｂと非第２領域４４ｂに共通する領域である非透過領域４５においては、第１透過部４２及び第２透過部４４によって、赤色の光及び青色の光が遮断される。また、共通領域４０においては、赤色の光及び青色の光が、第１透過部４２及び第２透過部４４をほぼ全て透過する。補正部によって、赤色の光が補正赤透過率Ｒｃｒで透過すると共に、青色の光が補正青透過率Ｒｃｂで透過する。
【００７８】
このように、第１透過部４２においては、第１領域４２ａか非第１領域４２ｂの２つに関してのみ透過率の設定が異なるように構成し、第２透過部４４においては、第２領域４４ａか非第２領域４４ｂの２つに関してのみ透過率の設定が異なるように構成している。そして、共通領域４０及び非透過領域４５を意識することなく、第１透過部４２と第２透過部４４とを配置すればよい。このように、表示装置１の製造時に、共通領域４０及び非透過領域４５の位置を意識する必要がない。以上のように、高精度な配置を必要とせずに、非常に簡単に製造でき、ひいては製造コストを低減することができる。
【００７９】
また、特許文献１に記載の表示装置においては、「第１単独領域」では第１波長帯の光を所定の透過率で透過させ、「第２単独領域」では第２波長帯の光を所定の透過率で透過させ、「共通領域」では２つの波長帯の光をほぼ全て透過させ、「非透過領域」では２つの波長帯の光を遮断させるように、これらの４つの領域に対して、透過率の設定の異なる複数の部材を、当該部材の相対的な位置関係に対して高精度に配置する必要がある。このため、透過率が設定される各部材は、その製造時に形状が決定される。すなわち、各部材を組み合わせるときに配置にずれが生じると、第１領域及び第２領域の形状が歪んでしまい、商品性が低下する。更に、第１領域の形状を同じままで、第２領域の形状を他の形状に変更する場合、第２単独領域及び非透過領域の形状が変更されるだけではなく、共通領域の形状も変わるので、第１単独領域の形状も変更する必要がある。
【００８０】
一方、本実施形態の表示装置１においては、製造時に、第１透過部４２と第２透過部４４との相対的な位置関係にずれが生じた場合であっても、第１透過部４２及び第２透過部４４は、各々が対応している領域の形状（すなわち、第１透過部４２では第１領域４２ａの形状、第２透過部４４では第２領域４４ａの形状）についてのみを考慮して透過率が異なるように構成されている。そして、第１透過部４２と第２透過部４４とを重ねることで、当該第１透過部４２と第２透過部４４との相対的な位置関係（すなわち、重なり具合）に応じて、第１単独領域４２ｃ、第２単独領域４４ｃ、共通領域４０、及び非透過領域４５の透過率が決定される。
【００８１】
すなわち、これらの４つの領域（４２ｃ、４４ｃ、４０、及び４５）の形状に合わせて各部材を構成して、当該部材を配置する場合に比べて、第１透過部４２と第２透過部４４との相対的な位置関係がずれることで、第１単独領域４２ｃ、第２単独領域４４ｃ、共通領域４０、及び非透過領域４５の形状が変わった場合であっても、第１領域４２ａ及び第２領域４４ａの形状が変化するわけではないので、第１透過部４２及び第２透過部４４の厳密な配置が不要である。また、第１領域４２ａの形状を同じままで、第２領域４４ａの形状を他の形状に変更する場合、第１透過部４２を変更せずに第２透過部４４のみを変更すればよい。このように、第１透過部４２及び第２透過部４４の形状が同一のものに対して流用でき、製造コストを低減できる。
【００８２】
また、本実施形態では、透過部４を、光源３に近い方から、「赤色インクからなる第２透過部４４」→「赤より青を多く透過させる補正部４３」→「青色インクからなる第１透過部４２」の順番に並べている。すなわち、透過部４を前面（図１又は図２の左側の面）から見たときには、補正部４３によって、その後ろ側（光源３側）に配置された赤色インクが塗布された第２透過部４４の非第２領域４４ｂが黒色に近い色に見えにくくなる。これにより、表示装置１のデザイン及び表示する際の品質を高くすることができる。
【００８３】
また、上述したように、透過部４の透光板４１は、その後面側の表面に塗布された所定の色（例えば、グレー等）の透光性インクの上に、白色の透光性インクが塗布されている。これにより、特に、光源３が消灯状態であるときに、白色の透光性インクが外光を乱反射させて、第１領域４２ａ及び第２領域４４ａの形状（矢印や丸）を見えにくくする。更に、光源３が赤色点灯状態であるときに、白色の透光性インクによる拡散効果により、第１単独領域４２ｃと共通領域４０との境界をぼかすと共に、光源３が青色点灯状態であるときに、白色の透光性インクによる拡散効果により、第２単独領域４４ｃと共通領域４０との境界をぼかすという効果が得られる。これにより、更に高い表示品質が得られる。
【００８４】
なお、白色の透光性インクは、例えば、「白色インク：透明インク＝１：１０」の配合比を基準に、デザイン性等を考慮して適宜調整すればよい。また、所定の色として、例えば、グレーの透光性インクを塗布する場合には、「黒色インク：透明インク＝１：１０」の配合比を基準に、デザイン性等を考慮して適宜調整すればよい。
【００８５】
なお、本実施形態の透過部４は、平板状に形成されるがこれに限らず、立体形状（例えば、球面を有する形状等）であってもよい。また、平板状であっても、長方形ではなく三角、円等、形状はいずれのものであってもよい。
【００８６】
また、本実施形態の透過部４は、光源３に近い側から順に、「第２透過部４４」→「補正部４３」→「第１透過部４２」と並んでいるが、これらの順番は、これに限らない。これら３つの部材を３つ選択する順列の全組み合わせのうちいずれの順番であってもよい。
【００８７】
また、第１透過部４２、補正部４３、及び第２透過部４４を、無色透明の薄膜状シート又は平板で構成し、当該薄膜状シート又は平板上に、上述した透光性インクを塗布し、各部材を接着するように構成してもよい。
【００８８】
また、本実施形態では、第１領域を「矢印」を表わす形状の領域とし、第２領域を「丸」を表わす形状の領域としているが、これらの形状はどのような形状であっても構わない。
【００８９】
また、本発明において、視感度とは、比視感度、詳細には、明所比視感度又は暗所比視感度であってもよい。これらのいずれを用いるかは、当該表示装置が用いられる用途に応じて適宜選択されればよい。
【符号の説明】
【００９０】
１…表示装置、４…透過部、４２…第１透過部、４３…補正部、４４…第２透過部、４２ａ…第１領域、４２ｂ…非第１領域（第１領域以外の領域）、４２ｃ…第１単独領域（第１領域のうち共通の領域以外の領域）、４４ａ…第２領域、４４ｂ…非第２領域（第２領域以外の領域）、４４ｃ…第２単独領域（第２領域のうち共通の領域以外の領域）、４０…共通領域（共通の領域）、Ｒｃｒ…補正赤透過率（第１透過率）、Ｒｃｂ…補正青透過率（第２透過率）、Ｒｒ…赤透過率（第４透過率）、Ｒｂ…青透過率（第３透過率）。
【図１】
2013195786.tif 000003
【図２】
2013195786.tif 000004
【図４】
2013195786.tif 000005
【図３】
2013195786.tif 000006
【図５】
2013195786.tif 000007
【図６】
2013195786.tif 000008
【図７】
2013195786.tif 000009
【図８】
2013195786.tif 000010
【図９】
2013195786.tif 000011